(57)【要約】【課題】本発明は、除湿装置に関するもので、除湿効果を高めることを目的する。【解決手段】空気吹出口４は、本体ケース２の前面の位置にて鉛直上方に向けて空気を吹き出す構成とし、前記本体ケース２は、コアンダ効果により前記空気吹出口４から吹出される空気を沿わせることで前記本体ケース２の背面側に送風方向を曲げるコアンダ面１３を備えた構成とすることにより、広範囲に送風してもルーバー等の風向変更板への衝突による圧損増加や騒音が発生せず、風量低下や除湿性能の低下、騒音の増大が生じないので、衣類などの対象物に対する乾燥効果を高めることができる。【選択図】図２
2016138710.tif 000002
【特許請求の範囲】
【請求項１】
空気吸込口と空気吹出口を有する本体ケースと、
前記本体ケース内の空気を除湿する除湿手段と、
前記空気吸込口から吸い込んだ本体ケース外の空気を前記除湿手段を通過させた後に前記空気吹出口から本体ケース外に吹き出す送風機とを備えた除湿装置において、
前記空気吹出口は、
前記本体ケースの前面にて鉛直上方に向けて空気を吹き出す構成とし、
前記本体ケースは、
コアンダ効果により前記空気吹出口から吹出される空気を沿わせることで前記本体ケースの背面側に送風方向を曲げるコアンダ面を備えた除湿装置。
【請求項２】
前記空気吹出口よりも下流側に風向変更板を備え、
前記風向変更板は、
状態Ａでは前記コアンダ面の一部を形成することで前記空気吹出口から吹出される空気を本体ケースの背面側に導き、
状態Ｂでは前記空気吹出口から吹出される空気を前記本体ケースの前方へ導く請求項１に記載の除湿装置。
【請求項３】
前記空気吸込口は、
前記本体ケースの背面に設けた請求項１または２に記載の除湿装置。
【発明の詳細な説明】
【技術分野】
【０００１】
本発明は、居住空間などに用いられる除湿装置に関するものである。
【背景技術】
【０００２】
快適性の向上や部屋干し衣類の乾燥を目的として居住空間の湿度を低下させる除湿装置が実用化されている。
【０００３】
従来の除湿装置の構成を図６および図７に示す。図６に示すように、空気吸込口１０１と空気吹出口１０２を有する本体ケース１０３と、この本体ケース１０３内に設けられた除湿手段１０４と、空気吸込口１０１から吸い込んだ本体ケース１０３外の空気を、除湿手段１０４を通過させた後に、空気吹出口１０２から本体ケース１０３外に吹き出す送風機１０５とを備えたものとなっている。
【０００４】
また、本体ケース１０３の前方や上方に干された衣類に除湿された空気を当てて乾燥させるために、上側風向変更板１０６ａおよび下側風向変更板１０６ｂを有する風向変更板１０６が設けられている。そして、図７に示すように、風向変更板１０６の取付角度を変更し、空気吹出口１０２の鉛直上方に下側風向変更板１０６ｂを位置させる。この状態で上側風向変更板１０６ａと下側風向変更板１０６ｂの間にできる空間Ａに空気を通過させ、上側風向変更板１０６ａおよび下側風向変更板１０６ｂに送風する空気を当てて風向を変更する構成となっている。そして、除湿した空気を本体ケース１０３の前方から上方まで送風し、衣類乾燥を促進するものとなっている（例えば下記特許文献１）。
【先行技術文献】
【特許文献】
【０００５】
【特許文献１】特開２０１２−１５９２３４号公報
【発明の概要】
【発明が解決しようとする課題】
【０００６】
特に除湿装置を衣類乾燥に利用する場合には、乾燥速度を速めるための十分な風量の提供および大量の衣類の乾燥に対応するための広範囲への送風が要求される。
【０００７】
しかしながら、上記従来技術では、風向の変更を行うために風向変更板１０６が採用されている。この風向変更板１０６は吹き出した風を板に衝突させることで風向を変更させるものであるため、圧損の原因となる。圧損の原因となるということは即ち風量の低下やこれに伴う除湿性能の低下、さらには騒音の増大などの原因となることを意味する。
【０００８】
また広範囲に送風を行う場合には風向変更板１０６のスイング幅を大きくする必要が有る。しかしながらスイング幅を大きくするということは吹き出した風の板に衝突する角度が大きく（きつく）なることを意味し、即ち圧損がさらに大きくなってしまう。つまり広範囲に送風する場合には、風量低下や除湿性能の低下、さらには騒音増大といった課題が一層顕著に現れる。
【０００９】
そこで、本発明は、上記課題を解決し衣類乾燥時の乾燥効果を高めた除湿装置を提供することを目的とするものである。
【課題を解決するための手段】
【００１０】
そして、本発明に係る除湿装置は、空気吸込口と空気吹出口を有する本体ケースと、前記本体ケース内の空気を除湿する除湿手段と、前記空気吸込口から吸い込んだ本体ケース外の空気を前記除湿手段を通過させた後に前記空気吹出口から本体ケース外に吹き出す送風機とを備えた除湿装置において、前記空気吹出口は、前記本体ケースの前面にて鉛直上方に向けて空気を吹き出す構成とし、前記本体ケースは、コアンダ効果により前記空気吹出口から吹出される空気を沿わせることで前記本体ケースの背面側に送風方向を曲げるコアンダ面を備えたものであり、これにより所期の目的を達成するものである。
【発明の効果】
【００１１】
以上により、圧損増加を抑制しながら衣類乾燥時の乾燥効果を高めることができるものである。
【図面の簡単な説明】
【００１２】
【図１】本発明の実施の形態にかかる除湿装置の斜視図
【図２】本発明の実施の形態にかかる除湿装置の内部構成を示す断面図
【図３】本発明の実施の形態にかかる除湿装置の斜視図
【図４】本発明の実施の形態にかかる除湿装置の風向変更板の状態Ａを示す斜視図
【図５】本発明の実施の形態にかかる除湿装置の風向変更板の状態Ｂを示す斜視図
【図６】従来の除湿装置の内部構成を示す断面図
【図７】従来の除湿装置の空気吹出部周辺の構成を示す断面図
【発明を実施するための形態】
【００１３】
本発明の実施の形態に係る除湿装置は空気吸込口と空気吹出口を有する本体ケースと、前記本体ケース内の空気を除湿する除湿手段と、前記空気吸込口から吸い込んだ本体ケース外の空気を前記除湿手段を通過させた後に前記空気吹出口から本体ケース外に吹き出す送風機とを備えた除湿装置において、前記空気吹出口は、前記本体ケースの前面の位置にて鉛直上方に向けて空気を吹き出す構成とし、前記本体ケースは、コアンダ効果により前記空気吹出口から吹出される空気を沿わせることで前記本体ケースの背面側に送風方向を曲げるコアンダ面を備えたものである。
【００１４】
これにより、空気吹出口から吹出される空気の一部をコアンダ面に沿わせ、本体ケースの背面側に送風方向を曲げることができる。また、空気吹出口のコアンダ面から遠い側から吹出される空気はコアンダ面の影響を受けず鉛直上方に吹出される。したがって、本体ケースから送風される空気の送風角度を鉛直上方から背面側にわたる範囲に広げることができる。そして、風向変更板への衝突による圧力損失や騒音が生じないため、広範囲に送風しても風量が低下せず除湿性能の低下や騒音の増大が生じない。そして、従来のように風向変更板により広範囲に送風する場合には、風向変更板の角度を逐次切り替えて行うため、対象物には断続的に風が当たるものであった。これに対して本発明に係る除湿装置においては、コアンダ面の作用により送風角度を広げるものであるので、常時広い範囲に送風することができ、連続的に風を当てることができる。このようにして、衣類などの対象物に対する乾燥効果を高めることができる。
【００１５】
また、本発明の実施の形態に係る除湿装置は、前記空気吹出口よりも下流側に風向変更板を備え、前記風向変更板は、状態Ａ、即ち閉じた状態では前記コアンダ面の一部を形成することで前記空気吹出口から吹出される空気を本体ケースの背面側に導き、状態Ｂ、即ち開いた状態では前記空気吹出口から吹出される空気を前記本体ケースの前方へ導く構成としても良い。
【００１６】
これにより、風向変更板を状態Ａとしてコアンダ面の一部を形成することで騒音や圧損の増加を抑制しながらより多くの風を本体ケース上方から背面側にかけて常時送風することが可能である。この状態では、圧損のない大量の風が上方にある対象物に途切れることなく供給されるため、乾燥状態までの時間を短縮することができる。また、風向変更板を状態Ａから状態Ｂとすることで本体ケース前方にまで送風できるので、より広範囲に除湿された空気を送風できるので、大量の衣類を乾燥対象とすることができる。
【００１７】
また、本発明の実施の形態に係る除湿装置は、前記空気吸込口は、前記本体ケースの背面に設けた構成としても良い。
【００１８】
この構成では、空気吹出口とは反対側の面に空気吸込口を設けているので、特にコアンダ面の影響を受けて本体ケースより背面方向に送風された空気を効率よく居室内で循環させることができる。結果として、背面に回った、衣類の乾燥などにより加湿された空気を効率よく本体ケース内に吸い込むことができる。
【００１９】
以下、添付図面を参照して、本発明の実施の形態につき説明し、本発明の理解に供する。なお、以下の実施の形態は、本発明を具体化した一例であって、本発明の技術的範囲を限定するものではない。また、全図面を通して、同一の部位については同一の符号を付して説明を省略している。さらに、各図面において、本発明に直接には関係しない各部の詳細については説明を省略している。
【００２０】
（実施の形態１）
図１は、本実施の形態にかかる除湿装置１の斜視図である。
【００２１】
除湿装置１は、箱型の本体ケース２を備えており、該本体ケース２によって除湿装置１の内外を区別される。
【００２２】
本体ケース２の背面には、当該背面に対して垂直方向から空気を吸い込む空気吸込口３が配置されている。また本体ケース２の前記背面の逆側の面である前面には、空気吹出口４が配置されている。
【００２３】
空気吹出口４は、本体ケース２の前面において、本体ケース２の高さ方向における中央近傍に配置されている。また空気吹出口４は、除湿装置１の稼動状態において鉛直上方に向けて開口しており、即ち鉛直上方に向けて空気を吹き出す構造となっている。
【００２４】
空気吹出口４の空気の流れにおける下流側、つまり本体ケース２の前面であって中央近傍に設けられた空気吹出口４より上方には、空気吹出口４から吹き出した空気に対してコアンダ効果の影響を与えるコアンダ面１３が備えられている。
【００２５】
コアンダ面１３は、本体ケース２の側面視において、空気吹出口４を始点とし本体ケース２の上方に向かうにつれて背面側に湾曲する曲面として本体ケース２の上端部まで設けられている。
【００２６】
続いて、図２を参照しながら本体ケース２内の詳細構造について説明する。図２は、本体ケース２内の構成を示す概略断面図である。
【００２７】
本体ケース２内には、本体ケース２内に取り込まれた空気を除湿するための除湿手段５と、送風機６とが設けられている。
【００２８】
除湿手段５は、本体ケース２内に吸い込まれた空気を除湿できるものであり、例えば、冷凍サイクルの利用により空気を露点温度以下に冷却して除湿するものや、吸湿剤を利用して空気に含まれる水分を除去するものである。本実施の形態においては、一例として、圧縮機７と放熱器８と膨張器９と吸熱器１０とを有する冷凍サイクルを備えた除湿手段５を採用している。
【００２９】
圧縮機７は、冷媒を加圧し、圧縮機７、放熱器８、膨張器９、吸熱器１０、圧縮機７の順に接続され内部を冷媒が通過する冷媒配管に、冷媒を循環させるものである。
【００３０】
放熱器８は、直管部および屈曲部で構成された冷媒配管と、直管部に設けられたフィンによって構成されている。フィンは、冷媒配管を流れる冷媒の熱を放熱器８を通過する空気に伝えるための平板状の複数枚の金属板である。
【００３１】
膨張器９は、放熱器８より流れてきた冷媒を断熱膨張させるものであり、例えば、膨張弁やキャピラリーチューブを用いる。本実施の形態ではキャピラリーチューブを採用している。
【００３２】
吸熱器１０は、放熱器８と同様に直管部および屈曲部で構成された冷媒配管と、直管部に設けられたフィンによって構成されている。フィンは、吸熱器１０を通過する空気の熱を冷媒配管を流れる冷媒に伝えるための平板状の複数枚の金属板である。
【００３３】
除湿手段５は、空気吸込口３から本体ケース２内に取り込まれた空気を吸熱器１０を通過させて冷却除湿する。その後放熱器８を通過させて加熱する。
【００３４】
送風機６は、加熱された空気を空気吹出口４を介して本体ケース２外に吹き出す。空気吸込口３から空気吹出口４に至る一連の風路を除湿風路１１とする。つまり本体ケース２には、除湿風路１１が備えられている。
【００３５】
送風機６は、モータ２０と羽根車２１とを備えている。送風機６は、モータ２０を動力とする羽根車２１の回転によって本体ケース２外から本体ケース２内に空気を吸い込み、さらに除湿風路１１内において空気吸込口３から空気吹出口４に空気を導き、そして本体ケース２外に空気を排出する。つまり、空気吸込口３から吸い込んだ本体ケース２外の空気を、除湿手段５を通過させた後に空気吹出口４から本体ケース２外に吹き出す。
【００３６】
本体ケース２の下部には、除湿手段５によって発生した水を貯留する貯水タンク１２が、本体ケース２に対して着脱自在に設けられている。
【００３７】
空気吹出口４は、本体ケース２の前面に設けられ、鉛直上方に向けて開口している。
【００３８】
空気吹出口４の下流側には、コアンダ効果により空気吹出口４から吹出される空気を沿わせて流すコアンダ面１３が形成されている。なおコアンダ効果とは、吹出口の近傍に壁面が存在すると、吹出口の縁と壁面との間の流体が速度勾配と粘性の作用により巻き込まれるために圧力が低下し、吹出口から吹出される流体が壁面側に湾曲しながら壁面に付着して流れる現象のことをいう。つまり本実施の形態では、コアンダ面１３は、空気吹出口４から本体ケース２の上端部にかけて空気吹出口４から吹き出される空気を引き寄せ、即ち圧損を与えることなく空気の流れを本体ケース２の背面側に傾けるよう作用する。
【００３９】
本体ケース２の前面には、図２に示すように、コアンダ面１３の一部と同じ形状の面１６を有し回転軸１８によって開閉可能な風向変更板１７が設けられている。
【００４０】
回転軸１８は、風向変更板１７の下部であって、コアンダ面１３の高さ方向における中央に円柱状の棒体として設けられている。
【００４１】
風向変更板１７は、本体ケース２に設けられた図示しない駆動モータによって回転軸１８を回転中心軸として所定の角度の範囲で開閉可能に軸支されている。風向変更板１７は、駆動モータの作用によって後述する状態Ａ、即ち閉じた状態および状態Ｂ、即ち開いた状態に位置することが可能である。
【００４２】
続いて、図３を参照しながらコアンダ面１３に影響を与える各部の特にサイズについて説明を行う。なお図３は、本実施の形態にかかる除湿装置の斜視図である。
【００４３】
図３に示すように、空気吹出口４から吹出される空気がコアンダ面１３に付着して流れの向きを変えるために、コアンダ面１３の高さ１５ｃは、本体ケース２の高さ１５ｄに対し４０％の高さとしている。コアンダ効果の効率を高めるためにはコアンダ面の高さ１５ｃを本体ケース２の高さ１５ｄに対して１０〜５０％とするのが望ましい。５０％以下とすることで、本体ケース２の空気吹出口４の下部に、十分な風量を吹出させるに適した寸法のモータ２０および羽根車２１を配置でき、本体ケース２を薄型化して設置のスペースを小さくできる。また風向変更板１７の高さ１５ｅは、空気吹出口４の幅１５ｂよりも大きくしている。風向変更板１７の高さ１５ｅを幅１５ｂよりも大きくすることで、空気吹出口４からの空気に対して十分にコアンダ効果の影響を与えることができる。
【００４４】
続いて、図４を参照しながら状態Ａ及び状態Ｂにおける風向変更板１７についてさらに詳細に説明する。
【００４５】
図４は状態Ａにおける風向変更板１７を、図５は状態Ｂにおける風向変更板１７を示す概略斜視図である。図４に示すように、状態Ａは、風向変更板１７を構成する面１６がコアンダ面１３と合致する位置、即ち風向変更板１７がコアンダ効果を有する面として機能する状態を指す。
【００４６】
一方、状態Ｂは、面１６が空気吹出口４の上方にて、該空気吹出口４から吹き出される空気の方向に対して略垂直の角度に位置する状態を指す。駆動モータは、状態Ａ、状態Ｂ、及び状態Ａから状態Ｂまでの角度範囲の中での任意の位置において、風向変更板１７を停止することができる。
【００４７】
次に、図４および図５を参照しながら除湿装置１の動作について説明する。
【００４８】
送風機６を駆動することによって空気吸込口３から本体ケース２内に空気が吸い込まれる。吸い込まれた空気は、除湿風路１１を通過することで吸熱器１０において露点温度以下まで冷却される。これにより空気が除湿され、続いて放熱器８にて加熱された後、空気吹出口４から吹出される。加熱された空気は湿気を吸収しやすい状態となっているため、洗濯物などの対象物に吹き付けられることで対象物に熱を与えると共に湿気を吸収する。湿気を吸収した空気は室内を循環し、本体ケース２の背面側に設けられた空気吸込口３より本体ケース２内へと取り込まれ、再度除湿される。
【００４９】
上記のように動作する除湿装置１において、風向変更板１７が状態Ａの位置にある場合、空気吹出口４から吹出される空気の一部はコアンダ効果によりこのコアンダ面１３に沿って流れる。そして、コアンダ面１３は本体ケース２の背面側に傾斜しているため、コアンダ面１３に沿って流れる一部の空気は本体ケース２の背面側上方へ向かって斜めに吹出される。またコアンダ効果の影響を受けない空気は、本体ケース２の鉛直上方に向かって真っ直ぐに吹き出される。つまり、状態Ａにおいては図４に示す角度αの範囲に対して常時空気が吹き出され、乾燥対象範囲βが広くなる。当然ながら状態Ａにおいては空気吹出口４から吹き出した空気はルーバー等の風向変更板による圧損を受けず、即ち対象物に対して大量の風量を与えることができる。
【００５０】
以上のように、従来では風向変更板により広範囲に送風する場合には風向変更板の角度を逐次切り替えて行うものであるため、対象物には断続的に風が当たるものであった。しかし本発明においては、コアンダ面１３の作用により送風角度を広げるものであるので、常時広い範囲に送風することができ、連続的に風を当てることができるものである。そして、従来では風向変更板を備えることで風向を背面側に変更させていたため風向変更板に風が衝突し騒音が増大していたが、状態Ａにおいては空気吹出口４から吹出された空気は風向変更板に衝突しないため騒音の増大は発生しないものである。例えば、騒音値を従来同等とするならば、風向変更板への衝突に発生する騒音分を吹出し風量増加による騒音分に転化できるため、より多くの風量を対象物に送風することができる。
【００５１】
このようにして、広範囲に送風してもルーバー等の風向変更板への衝突による圧損増加や騒音が発生せず、風量低下や除湿性能の低下、騒音の増大が生じないので、衣類などの対象物に対する乾燥効果を高めることができるのである。
【００５２】
また、風向変更板１７の位置を状態Ｂとすることで、風向変更板１７への吹出し空気の衝突による風量低下および騒音増大が発生してしまうが、本体ケース２の前方にも除湿された空気を送風することが出来る。それにより、本体ケース２の前方の対象物の乾燥も行うことができる。
【００５３】
また、駆動モータにより風向変更板１７を開閉し、状態Ａから状態Ｂまでの角度範囲を往復させることで、本体ケース２の前方から上方までの広範囲の対象物に送風することができ、より多くの対象物を乾燥させることができる。
【００５４】
また、空気吹出口４から本体ケース２の背面側上方に斜めに吹出された空気は、本体ケース２の背面の空気吸込口３から吸い込まれるので、居室内の本体ケース２近傍の空気に対し、背面側上方に押し込みながら背面から前面方向に向かって引き込む作用が発生する。したがって居室内を循環する空気の流れを加速することができる。この空気循環の加速により、背面側に回った、衣類の乾燥などにより加湿された空気を効率よく吸い込むことができる。
【００５５】
なお、空気吹出口４から吹出される空気流が直ちにコアンダ面１３に付着するように、コアンダ面１３の空気吹出口側開始位置１４は空気吹出口４に近接させるのが望ましい。コアンダ面１３の傾斜は、沿って流れる空気流がコアンダ面１３から剥離しないように滑らかな曲面とするのがよい。
【００５６】
また、本実施の形態では、空気吹出口４が設けられた面を前面と定義したが、この前面に例えば操作パネルを設置する必要は無く、使用形態に応じて背面側に操作パネルを設けてもよい。
【産業上の利用可能性】
【００５７】
本発明にかかる除湿装置は、より高い乾燥効果をもたらすものであるため、室内空気の除湿や衣類の乾燥用途として極めて有用なものである。
【符号の説明】
【００５８】
１  除湿装置
２  本体ケース
３  空気吸込口
４  空気吹出口
５  除湿手段
６  送風機
１３  コアンダ面
１７  風向変更板
２０  モータ
２１  羽根車
【図１】
2016138710.tif 000003
【図２】
2016138710.tif 000004
【図３】
2016138710.tif 000005
【図４】
2016138710.tif 000006
【図５】
2016138710.tif 000007
【図６】
2016138710.tif 000008
【図７】
2016138710.tif 000009